(57)【要約】      （修正有）【課題】建物の窓枠やベランダ部分等の小スペースに簡単に取り付けられ、大きな設備工事等を必要としない。この為、既存建造物に対し安価で取り付けができ、工事費用等を抑えることできる追尾式太陽光発電装置を提供する。【解決手段】小型太陽電池パネル各自を単独配線として縦横に組み合わせた追尾式太陽光発電装置であり、太陽電池パネルの架台に角度をつけて各パネルが太陽光を受けやすくなっている。架台の素材はアルミニウムまたはプラスチック成形品のような軽量素材が最適である。【選択図】図１
2013089941.tif 000002
【特許請求の範囲】
【請求項１】
幾つかの独立配線された小型太陽電池パネルを、縦横に組み合わせられる太陽追尾式の太陽光発電用の架台。
【請求項２】
縦横に組み合わせられた太陽電池パネルが一つ或いは複数のモーターによって、左右に動かすことのできる請求項１の架台。
【請求項３】
架台に取り付けられた光センサーによって、太陽を追尾する機能を有する請求項１の架台。
【請求項４】
太陽電池パネルの上下角度を、同時に調整できる機能を有する請求項１の架台。
【請求項５】
建物の窓枠やベランダ部分、或いは車等に取り付けが簡単な請求項１の架台。
【請求項６】
上段と下段の太陽電池パネルを重ならないように、傾きをつけた請求項１の架台。
【請求項７】
金属や木材、或いはプラスチックで作られた請求項１の架台。
【発明の詳細な説明】
【発明の詳細な説明】
【技術分野】
【０００１】本発明は、光センサーを用い小型の太陽電池パネルを同時に効率の良い方向に向けることの出来る太陽光追尾式の架台に関するものである。
【産業上の利用分野】
【０００２】本発明は、建物の窓枠やベランダ部分等の小スペースに簡単に取り付けられるもので、従来の太陽電池パネルのように大きな設備工事等を必要としない。この為、既存建造物に対し安価で取り付けができ、工事費用等を抑えることできる。更に、大きな工事を必要としないため増設することも簡単である。また、沢山の太陽電池パネルを組み合わせることで、大きな電力を得ることも可能となる。ライフスタイルの多様化が話題となる昨今、海や山等のアウトドアー用としても期待できる。更には、離島等の電力が不足する場所でも、取り付けが簡単に行えるため利用用途に期待できる。
【背景技術】
【０００３】従来の追尾式太陽光発電装置は、効率よく発電する設備も多くみられた。しかし、これらは太陽電池パネル自体も大きく、モーターを動かすために電力を消費する難点があった。また、太陽電池パネルの一部に影がさした場合、パネル内の配線が一本化されているため、電力の供給が出来ないようになっていた。
【発明が解決しようとする課題】
【０００４】従来の追尾式太陽光発電装置は、マイコンを搭載し、また大きなモーターを使うことで設備コスト、ランニングコストにおいても採算の合わないものが多くみられた。更に重量もあった。また、前記のように太陽電池パネルの配線が一本化されているため影がさした場合においても、問題があった。本発明はこれらの課題を解決するものである。
【課題を解決する為の手段】
【０００５】上記課題を解決する為には、太陽電池パネルを小型のものにし各自を単独配線とすることで、架台に配した太陽電池パネルの一部に影がさしても問題なく、電力の供給は可能なものとなった。また、単純な光センサーによって、小型の駆動モーターを管理し必要なときだけ作動されることで、電力の消費量を極限まで抑えることができた。
【０００６】駆動モーターは左右の光センサーが光を感知しない場合、左右の電位差によって作動する。駆動モーターには始点・終点が設定されていて、終点まで行き着くとゆっくりと始点まで戻る。駆動モーターの一回の作動時間は１秒程度で、電力消費量は僅かなものである。
【０００７】太陽電池パネルの上下角度は、冬至と夏至を基本として、自動或いは手動で調整することができる。
この場合、各段は全て連結されていて、同時に同じ角度に調整される。
【０００８】太陽電池パネルの架台に角度をつけることで、各パネルが太陽光を受けやすい状態に配置されている。架台の上段と下段の重なりが抑えられ、上段パネルが下段パネルの影となることがなくなるため、太陽電池パネルの発電効率は向上する。
【０００９】本発明における架台の素材は、アルミニウムのような軽い素材、或いはプラスチック成形品が最適であるが、木材、他の金属素材でも作ることができる。
【図面の簡単な説明】
【００１０】Ａは太陽電池パネルの受け部分である。
Ｂは光センサーで左右にある。
Ｃは太陽電池パネル受けの左右連結アングルである。
Ｄは架台のベース部分である。ここに駆動モーターをとりつける。
太陽電池パネルは上下左右に増設することができる。
矢印は稼働方向を示す。
【図１】
2013089941.tif 000003
【手続補正書】
【提出日】平成23年12月26日(2011.12.26)
【手続補正１】
【補正対象書類名】明細書
【補正対象項目名】全文
【補正方法】変更
【補正の内容】
【発明の詳細な説明】
【発明の詳細な説明】
【技術分野】
【０００１】本発明は、光センサーを用い小型の太陽光電池パネルを同時に効率の良い方向に向けることの出来る太陽光追尾式の架台に関するものである。
【産業上の利用分野】
【０００２】本発明は、建物の窓枠やベランダ部分等の小スペースに簡単に取り付けられるもので、従来の太陽電池パネルのように大きな設備工事等を必要としない。
この為、既存建造物に対し安価で取り付けができ、工事費用等を抑えることできる。更に、大きな工事を必要としないため増設することも簡単である。また、沢山の太陽電池パネルを組み合わせることで、大きな電力を得ることも可能となる。ライフスタイルの多様化が話題となる昨今、海や山等のアウトドアー用としても期待できる。更には、離島等の電力が不足する場所でも、取り付けが簡単に行えるため利用用途に期待できる。
【背景技術】
【０００３】従来の追尾式太陽光発電装置は、効率よく発電する設備も多くみられた。しかし、これらは太陽電池パネル自体も大きく、モーターを動かすために電力を消費する難点があった。また、太陽電池パネルの一部に影がさした場合、パネル内の配線が一本化されているため、電力の供給が出来ないようになっていた。
【発明が解決しようとする課題】
【０００４】従来の追尾式太陽光発電装置は、マイコンを搭載し、また大きなモーターを使うことで設備コスト、ランニングコストにおいても採算の合わないものが多くみられた。更に重量もあった。また、前記のように太陽電池パネルの配線が一本化されているため影がさした場合においても、問題があった。本発明はこれらの課題を解決するものである。
【課題を解決する為の手段】
【０００５】上記課題を解決する為には、太陽電池パネルを小型のものにし各自を単独配線とすることで、架台に配した太陽電池パネルの一部に影がさしても問題なく、電力の供給は可能なものとなった。また、単純な光センサーによって、小型の駆動モーターを管理し必要なときだけ作動されることで、電力の消費量を極限まで抑えることができた。
【０００６】駆動モーターは左右の光センサーが光を感知しない場合、左右の電位差によって作動する。駆動モーターには始点・終点が設定されていて、終点まで行き着くとゆっくりと始点まで戻る。駆動モーターの一回の作動時間は１秒程度で、電力消費量は僅かなものである。
【０００７】太陽電池パネルの上下角度は、冬至と夏至を基本として、自動或いは手動で調整することができる。
この場合、各段は全て連結されていて、同時に同じ角度に調整される。
【０００８】太陽電池パネルの架台に角度をつけることで、各パネルが太陽光を受けやすい状態に配置されている。架台の上段と下段の重なりが抑えられ、上段パネルが下段パネルの影となることがなくなるため、太陽電池パネルの発電効率は向上する。
【０００９】本発明における架台の素材は、アルミニウムのような軽い素材、或いはプラスチック成形品が最適であるが、木材、他の金属素材でも作ることができる。
【図面の簡単な説明】
【００１０】
【図１】は、太陽光追尾式の架台の全体図である。太陽電池パネル受け（Ａ）は光センサー（Ｂ）が太陽光を感知できなくなったとき、太陽光を追尾するために、架台のベース部分（Ｄ）に取り付けられた駆動モーターによって左右に動く。この場合、追尾時のみ電力を消費する。横に並ぶ、太陽電池パネル受け（Ａ）は左右連結アングルによって、同時に動くことができる。
【符号の説明】
【００１１】Ａは太陽電池パネルの受け部分である。
Ｂは光センサーで左右にある。
Ｃは太陽電池パネル受けの左右連結アングルである。
Ｄは架台のベース部分である。ここに駆動モーターをとりつける。
太陽電池パネルは上下左右に増設することができる。
矢印は稼働方向を示す。